(57)【要約】      （修正有）【課題】段ボール箱開函時の粘着テープの端部を比較的容易に剥離できる段ボール箱用シートを提供する。【解決手段】１枚の段ボールシートから形成され、二対の側面パネルと、一対の側面パネルの上縁から延出し、封函状態で先端縁が突き合わされる一対のフラップとを備える段ボール箱用シートであって、粘着テープＴの端部が位置する他対の側面パネルの少なくとも一方の上縁近傍且つ左右方向中央の領域に上下方向に延在し、破断容易に形成される中央破断線１４と、中央破断線の両側に略対称且つ中央破断線と略平行に延在し、折り曲げ容易に形成される一対の基端折り曲げ線１５と、中央破断線の上端と基端折り曲げ線の上端とを接続し、予め切断又は切断容易に形成される上側切断線１６と、中央破断線の下端と基端折り曲げ線の下端とを接続し、予め切断又は切断容易に形成される下側切断線１７とを有する。【選択図】図３
0003208918.tif 000002
【実用新案登録請求の範囲】
【請求項１】
１枚の段ボールシートから形成され、
左右方向に交互に連接される二対の側面パネルと、
一対の上記側面パネルの上縁から延出し、封函状態で先端縁が突き合わされる一対のフラップと
を備える段ボール箱用シートであって、
他対の上記側面パネルの少なくとも一方の上縁近傍且つ左右方向中央の領域に上下方向に延在し、破断容易に形成される中央破断線と、
上記中央破断線の両側に略対称且つ上記中央破断線と略平行に延在し、折り曲げ容易に形成される一対の基端折り曲げ線と、
上記中央破断線の上端と上記基端折り曲げ線の上端とを接続し、予め切断又は切断容易に形成される上側切断線と、
上記中央破断線の下端と上記基端折り曲げ線の下端とを接続し、予め切断又は切断容易に形成される下側切断線と
を有することを特徴とする段ボール箱用シート。
【請求項２】
上記中央破断線が上記基端折り曲げ線よりも長く、上記中央破断線と上記基端折り曲げ線との下端の上下方向位置が略等しい請求項１に記載の段ボール箱用シート。
【請求項３】
上記中央破断線の長さの上記基端折り曲げ線の長さに対する比が１．５以上２．５以下である請求項２に記載の段ボール箱用シート。
【請求項４】
上記上側切断線が少なくとも部分的に上側に凸状に湾曲している請求項１、請求項２又は請求項３に記載の段ボール箱用シート。
【請求項５】
上記中央破断線の切断率が８０％以上９５％以下であり、
上記上側切断線の切断率が９５％以上であり、
上記下側切断線の切断率が８５％以上９９％以下である請求項１から請求項４のいずれか１項に記載の段ボール箱用シート。
【考案の詳細な説明】
【技術分野】
【０００１】
本発明は、段ボール箱用シートに関する。
【背景技術】
【０００２】
段ボールシートから形成される段ボール箱が様々な物品の梱包材として広く利用されている。中でも、４つの側面パネルを四角筒状に接続し、長辺側の一対の側面パネルの上縁及び下縁から延設される上下各一対のフラップを突き合わせるよう折り曲げることで四角筒状部の両端開口を封止するＡ式（いわゆるミカン箱タイプ）の段ボール箱が最も多く利用されている。このようなＡ式の段ボール箱では、フラップの合わせ目を覆うよう粘着テープを貼着することで封函されるのが一般的である。
【０００３】
このように粘着テープを用いて封函された段ボール箱を開函する比較的簡単な方法としては、カッターナイフによってフラップの合わせ目に沿って粘着テープを切断する方法がある。しかしながら、カッターナイフを使用すると、カッターナイフの先端が段ボール箱の中に収容されている物品を誤って傷つけるおそれがある。このため、粘着テープを段ボールシートから引き剥がすことによって開函する方法が採用されることも多い。
【０００４】
段ボール箱に貼着された粘着テープを引き剥がすためには、粘着テープの長手方向の端部に指の爪をかけて剥離し、粘着テープの一端をしっかりと把持できる状態にする必要がある。しかしながら、粘着テープの端部を剥離する作業は容易ではなく、作業効率を著しく低下させる。
【０００５】
そこで、段ボール箱の粘着テープの端部が貼着される領域にＵ字状の切断線とこの切断線の両側の上端を結ぶ折り曲げ線とを形成して折り曲げ可能な舌片を画定する方法が提案されている（特開２００３−７２７４８号公報参照）。この公報に記載の構成では、舌片を段ボール箱の内側に押し込むよう折り曲げることで、この舌片を粘着テープから剥離して粘着テープの端部を把持可能とすることができる。
【０００６】
上記公報に記載の構成では、粘着テープの端縁に垂直な方向に剥離を進行させるため、舌辺の幅全体に亘って同時に粘着テープの剥離を開始する必要がある。この粘着テープの剥離開始を容易にするためには、舌辺の幅を小さくすることが有効である。しかしながら、この構成では、粘着テープの端部をしっかりと把持できるようにするためには舌片の幅を大きくする必要があるため、舌片を押し込んで粘着テープを剥離させるために比較的大きな力が必要となる。
【先行技術文献】
【特許文献】
【０００７】
【特許文献１】特開２００３−７２７４８号公報
【考案の概要】
【考案が解決しようとする課題】
【０００８】
上記不都合に鑑みて、本考案は、段ボール箱開函時の粘着テープの端部を比較的容易に剥離できる段ボール箱用シートを提供することを課題とする。
【課題を解決するための手段】
【０００９】
上記課題を解決するためになされた考案は、１枚の段ボールシートから形成され、左右方向に交互に連接される二対の側面パネルと、一対の上記側面パネルの上縁から延出し、封函状態で先端縁が突き合わされる一対のフラップとを備える段ボール箱用シートであって、他対の上記側面パネルの少なくとも一方の上縁近傍且つ左右方向中央の領域に上下方向に延在し、破断容易に形成される中央破断線と、上記中央破断線の両側に略対称且つ上記中央破断線と略平行に延在し、折り曲げ容易に形成される一対の基端折り曲げ線と、上記中央破断線の上端と上記基端折り曲げ線の上端とを接続し、予め切断又は切断容易に形成される上側切断線と、上記中央破断線の下端と上記基端折り曲げ線の下端とを接続し、予め切断又は切断容易に形成される下側切断線とを有することを特徴とする。
【００１０】
当該段ボール箱用シートを組み立ててなる段ボール箱は、中央破断線、上側切断線、下側切断線及び基端折り曲げ線によって中央破断線を挟んで左右方向に略対称に画定される一対の舌片を有し、この一対の舌片の上部にかかるよう粘着テープを貼着して封函される。この段ボール箱は、上記一対の舌片を中央破断線側から段ボール箱の内側に押し込むよう、一対の基端折り曲げ線に沿って観音開きするように押し開くことで粘着テープから一対の舌片を剥離することができる。段ボールシートは弾性を有するため、最初に舌片を剥離する力が粘着テープの端縁の中央破断線上の部分に集中して局所的に作用し、比較的容易に段ボールシートから粘着テープの端部を剥離することができる。
【００１１】
上記中央破断線が上記基端折り曲げ線よりも長く、上記中央破断線と上記基端折り曲げ線との下端の上下方向位置が略等しいことが好ましい。この構成によれば、上側切断線が外側下方に傾斜したものとなるので、一対の舌片を押し込んだときに上に凸状の開口が形成される。このため、粘着テープの左右方向両側を開口外側の段ボールシートに貼着して粘着テープを保持し、左右方向中央部を容易に把持することができるので粘着テープを引き剥がして開函する作業がより容易となる。
【００１２】
上記中央破断線の長さの上記基端折り曲げ線の長さに対する比が１．５以上２．５以下であることが好ましい。この構成によれば、舌片を剥離し易く、かつ舌片剥離後の粘着テープを把持しやすくできる。
【００１３】
上記上側切断線が少なくとも部分的に上側に凸状に湾曲していることが好ましい。この構成によれば、剥離した粘着テープを把持できる面積がより大きくなるため、粘着テープを段ボール箱から引き剥がすことがさらに容易となる。
【００１４】
上記中央破断線の切断率が８０％以上９５％以下であり、上記上側切断線の切断率が９５％以上であり、上記下側切断線の切断率が８５％以上９９％以下であることが好ましい。この構成によれば、中央破断線が意図せずに破断することを防止しつつ、舌片を押し込んで粘着テープの端部を剥離することが容易となる。
【００１５】
ここで、中央破断線の両側に「略対称」とは、中央破断線で折り返したときに対応する点間の距離が両点の中央破断線からの平均距離の１０％以下であることを意味する。また、「略平行」とは、相対角度が１０°以下であることを意味する。また、上下方向位置が「略等しい」とは、両者を結ぶ直線の水平方向に対する傾斜が１０°以下であることを意味する。また、「切断率」とは、段ボールシートのライナーが切断されている長さの割合を意味し、複数のライナーを有する場合は各ライナーが切断されている長さの割合の平均を意味する。
【考案の効果】
【００１６】
本考案の段ボール箱用シートは、段ボール箱開函時の粘着テープの端部を比較的容易に剥離できる。
【図面の簡単な説明】
【００１７】
【図１】本考案の一実施形態の段ボール箱用シートを示す模式的平面図（展開図）である。
【図２】図１の段ボール箱用シートを組み立ててなる段ボール箱の封函状態を示す模式的斜視図である。
【図３】図１の段ボール箱用シートの開封開始部の模式的拡大平面図である。
【図４】図２の段ボール箱の開封開始時の模式的拡大斜視図である。
【図５】図２の段ボール箱に貼着された粘着テープ端部の剥離状態の模式的拡大斜視図である。
【考案を実施するための形態】
【００１８】
以下、適宜図面を参照しつつ、本考案の実施の形態を詳説する。
【００１９】
［段ボール箱用シート］
図１に、本発明の一実施形態に係る段ボール箱用シートを示す。当該段ボール箱用シートは、１枚の段ボールシートから形成され、図２に示すように、箱状に組み立てられる。なお、図１において、太い実線は段ボールシートを切断して形成されるエッジを示し、細い実線は段ボールシートの表面に筋押しして形成される罫線を示す。
【００２０】
当該段ボール箱用シートを形成する段ボールシートとしては、１枚の中芯の両側を一対のライナーで挟み込んだものだけでなく、３枚のライナーの間にそれぞれ中芯が挟み込まれたいわゆるダブルフルートを使用してもよく、中芯の片側にのみライナーが貼着されたいわゆる片面段ボールを使用してもよい。
【００２１】
当該段ボール箱用シートは、左右方向に交互に連接される二対の側面パネル（第１の長辺側面パネル１、第１の短辺側面パネル２、第２の長辺側面パネル３及び第２の短辺側面パネル４）と、第１の長辺側面パネル１の第１の短辺側面パネル２と反対側の側縁に連接され、二対の側面パネル１〜４を無端筒状に接続するための継ぎしろ５と、一対の長辺側面パネル１，３の上縁から延出し、封函状態で先端縁が突き合わされる二対の蓋外フラップ（第１の蓋外フラップ６及び第２の蓋外フラップ７）と、一対の短辺側面パネル２，４の上縁から延出する二対の蓋内フラップ（第１の蓋内フラップ８及び第２の蓋内フラップ９）と、一対の長辺側面パネル１，３の下縁から延出し、封函状態で先端縁が突き合わされる二対の底外フラップ（第１の底外フラップ１０及び第２の底外フラップ１１）と、一対の短辺側面パネル２，４の下縁から延出する二対の底内フラップ（第１の底内フラップ１２及び第２の底内フラップ１３）とを備える。
【００２２】
なお、本明細書において、「左右方向」とは、当該段ボール箱用シートを組み立ててなる箱体の想定される一般的な使用態様における水平方向に対応する方向であり、「上」及び「下」とは、想定される一般的な使用態様における上下を意味するが、当該段ボール箱用シートの製造時の向きや当該段ボール箱用シートを組み立ててなる箱体の使用時の向き制限することを企図しない。
【００２３】
当該段ボール箱用シートは、第１の長辺側面パネル１及び第１の短辺側面パネル２間、並びに第２の長辺側面パネル３及び第２の短辺側面パネル４間でそれぞれ折り返され、継ぎしろ５を第２の短辺側面パネル４の第２の長辺側面パネル３と反対側の側縁近傍領域の裏面に貼着することによって、無端筒状に接続される。継しろ５の第２の短辺側面パネル４への貼着は、接着剤を用いる方法の他、例えばステープラー等を用いる方法としてもよい。
【００２４】
当該段ボール箱用シートは、通常、継ぎしろ５を第２の短辺側面パネル４に貼着し、第１の長辺側面パネル１及び第２の短辺側面パネル４が第１の短辺側面パネル２及び第２の長辺側面パネル３に密着する折り畳み状態でユーザーに提供される。このように当該段ボール箱用シートを折り畳み状態とすることで、複数の当該ダンボール箱用シートを積み重ねることができ、かつ容易に段ボール箱を組み立てることができる。
【００２５】
当該段ボール箱用シートは、先ず側面パネル１〜４を隣接する側面パネル間の角度を略直角にして四角筒状体を形成し、次いで底内フラップ１２，１３を四角筒状体の内側に折り曲げ、さらに底内フラップ１２，１３の外側に底外フラップ１０，１１をそれぞれ先端縁を突き合わせるよう折り重ねることによって有底四角筒状の段ボール箱に組み立てられる。
【００２６】
この段ボール箱は、蓋内フラップ８，９を四角筒状体の内側に折り曲げ、さらに蓋内フラップ８，９の外側に蓋外フラップ６，７をそれぞれ先端縁を突き合わせるよう折り重ねることによって封函される。
【００２７】
また、当該段ボール箱用シートを組み立ててなる段ボール箱は、図２に示すように、外フラップ６，７，１０，１１の先端縁間の合わせ目に沿って粘着テープＴを貼着することによって封函状態が保持される。これらの粘着テープＴは、両端が短辺側面パネル２，４の上部又は下部に折り曲げて貼着される。
【００２８】
当該段ボール箱用シートを組み立ててなる段ボール箱の封函に使用される粘着テープＴとしては、一般的に幅が３８ｍｍ以上５０ｍｍ以下であるものが使用される。また、粘着テープＴとしては、水貼り方式（貼着面に乾燥した水溶性の糊が塗布されているタイプ）のテープを用いてもよい。
【００２９】
当該段ボール箱用シートは、一対の短辺側面パネル２，４の封函時に粘着テープＴの端部が貼着される領域に、開函時に粘着テープＴを段ボールシートから剥離するための剥離機構部Ｐを有する。
【００３０】
＜剥離機構部＞
剥離機構部Ｐは、図３に詳しく示すように、一対の短辺側面パネル２，４の上縁近傍且つ左右方向中央の領域に上下方向に延在し、破断容易に形成される中央破断線１４と、この中央破断線１４の両側に略対称且つ中央破断線１４と略平行に延在し、折り曲げ容易に形成される一対の基端折り曲げ線１５と、中央破断線１４の上端と基端折り曲げ線１５の上端とを接続し、予め切断又は切断容易に形成される（図示する例では段ボールシートが予め完全に切断して形成されている）上側切断線１６と、中央破断線１４の下端と基端折り曲げ線１５の下端とを接続し、予め切断又は切断容易に形成される（図示する例では段ボールシートが中央破断線１４の下端近傍で切断されておらず全体としては切断容易に形成されている）下側切断線１７とを有する。
【００３１】
この構成により、剥離機構部Ｐは、中央破断線１４、基端折り曲げ線１５、上側切断線１６及び下側切断線１７によって、中央破断線１４を挟んで左右方向に略対称に画定され、それぞれ基端折り曲げ線１５を基端として段ボール箱の内側に折り曲げ可能な一対の舌片Ｆを有する。
【００３２】
当該段ボール箱用シートを組み立ててなる段ボール箱を開函する場合、図４に示すように、粘着テープＴの下方の中央破断線１４近傍を指で押して中央破断線１４を破断させ、一対の舌片Ｆの下部から段ボール箱の内側に押し込むことで、粘着テープＴから舌片Ｆを剥離する。このとき、段ボールシートは弾性を有するため、最初に舌片Ｆを剥離する力が粘着テープＴの端縁の中央破断線１４上の部分に集中して局所的に作用し、比較的容易に段ボールシートから粘着テープＴの端部を剥離することができる。
【００３３】
さらに一対の舌片Ｆを押し込んで、図５に示すように、一対の舌片Ｆを基端折り曲げ線１５に沿って折り曲げて観音開きすることで、舌片Ｆを粘着テープＴから剥離すると共に、剥離機構部Ｐを開口させて粘着テープＴの端部を把持可能とする。
【００３４】
この剥離機構部Ｐにおいて、中央破断線１４の長さが基端折り曲げ線１５の長さよりも大きく、且つ中央破断線１４の下端と基端折り曲げ線１５の下端との上下方向位置が略等しいことが好ましい。このように、中央破断線１４が基端折り曲げ線１５よりも長く、中央破断線１４及び基端折り曲げ線１５の下端の上下方向位置が略等しいことによって、上側切断線１６が中央破断線１４の上端から外側下方に傾斜したものとなるので、一対の舌片Ｆを押し込んだときに形成される剥離機構部Ｐの開口形状が上に凸状となる。これにより、粘着テープＴの左右方向両側を開口外側の段ボールシートに貼着したままとして粘着テープＴを短辺側面パネル２，４に沿う状態に保持し、左右方向中央部に指を入れて粘着テープＴを容易に把持することができる。このため、粘着テープＴを引き剥がして開函する作業がより容易となる。
【００３５】
中央破断線１４の長さの基端折り曲げ線１５の長さに対する比の下限としては、１．５が好ましく、１．８がより好ましい。一方、中央破断線１４の長さの基端折り曲げ線１５の長さに対する比の上限としては、２．５が好ましく、２．２がより好ましい。中央破断線１４の長さの基端折り曲げ線１５の長さに対する比が上記下限に満たない場合、舌片Ｆを剥離した後の粘着テープＴの端部が段ボール箱の中に折り返されたり、舌片Ｆを剥離する領域の高さが小さくなったりすることで、粘着テープＴの端部を把持して引き剥がすことが容易でなくなるおそれがある。逆に、中央破断線１４の長さの基端折り曲げ線１５の長さに対する比が上記上限を超える場合、舌片Ｆの粘着テープＴから剥離する領域の高さが大きくなりすぎて粘着テープＴを剥離することが容易でなくなるおそれや、舌片Ｆを剥離する領域の幅が小さくなることで、粘着テープＴの端部を把持して引き剥がすことが容易でなくなるおそれがある。
【００３６】
剥離機構部Ｐにおいて、上側切断線１６は、少なくとも部分的に上側に凸状に湾曲していることが好ましい。このように、上側切断線１６が少なくとも部分的に上側に凸状に湾曲していることによって、舌片Ｆを剥離した後に粘着テープＴを把持できる面積がより大きくなるため、粘着テープＴを段ボール箱から引き剥がすことがさらに容易となる。このため、上側切断線１６の中央破断線１４に近い部分が凸状となっていることが特に好ましい。
【００３７】
中央破断線１４の長さの下限としては、２５ｍｍが好ましく、３０ｍｍがより好ましい。一方、中央破断線１４の長さの上限としては、８０ｍｍが好ましく、５０ｍｍがより好ましい。中央破断線１４の長さが上記下限に満たない場合、粘着テープＴの舌片Ｆに貼着する部分の長さが短くなり粘着テープＴを把持することが困難となるおそれや、舌片Ｆの大半が粘着テープＴに覆われて舌片Ｆを押し込むことができなくなるおそれがある。逆に、中央破断線１４の長さが上記上限を超える場合、当該段ボール箱用シートを組み立ててなる箱体の強度が不必要に低下するおそれや、剥離機構部Ｐが意図せず開口され易くなるおそれがある。
【００３８】
短辺側面パネル２，４の上縁から中央破断線１４の上端までの距離の下限としては、１０ｍｍが好ましく、１５ｍｍがより好ましい。一方、短辺側面パネル２，４の上縁から中央破断線１４の上端までの距離の上限としては、３０ｍｍが好ましく、２５ｍｍがより好ましい。短辺側面パネル２，４の上縁から中央破断線１４の上端までの距離が上記下限に満たない場合、舌片Ｆを押し込んで端部を剥離できるよう粘着テープＴを貼着すると短辺側面パネル２，４に対する十分な接着面積を確保できないので、封函が不確実となるおそれがある。逆に、短辺側面パネル２，４の上縁から中央破断線１４の上端までの距離が上記上限を超える場合、短辺側面パネル２，４に接着する粘着テープＴの長さを特別に大きくする必要が生じ、一般的な封函機によって封函することができなくなるおそれがある。
【００３９】
中央破断線１４と基端折り曲げ線１５との平均間隔の下限としては、２０ｍｍが好ましく、２３ｍｍより好ましい。一方、中央破断線１４と基端折り曲げ線１５との平均間隔の上限としては、粘着テープＴの幅の４０ｍｍが好ましく、３５ｍｍがより好ましい。中央破断線１４と基端折り曲げ線１５との平均間隔が上記下限に満たない場合、剥離機構部Ｐの幅が不十分となり、粘着テープＴを容易に把持できないおそれがある。逆に、中央破断線１４と基端折り曲げ線１５との平均間隔が上記上限を超える場合、当該段ボール箱用シートを組み立ててなる箱体の強度が不必要に低下するおそれや、剥離機構部Ｐが意図せず開口され易くなるおそれがある。
【００４０】
中央破断線１４の切断率の下限としては、８０％が好ましく、８５％がより好ましい。一方、中央破断線１４の切断率の上限としては、９５％が好ましく、９２％がより好ましい。中央破断線１４の切断率が上記下限に満たない場合、中央破断線１４を破断することが容易でなくなるおそれがある。逆に、中央破断線１４の切断率が上記上限を超える場合、開函前に意図せず中央破断線１４が破断して剥離機構部Ｐが開口してしまうおそれがある。
【００４１】
上側切断線１６は、封函時に粘着テープＴが貼着されて舌片Ｆの意図しない折り込みが抑制されるので、切断率を大きくしても問題が生じない。このため、上側切断線１６の切断率の下限としては、９５％が好ましく、９８％がより好ましい。一方、上側切断線１６の切断率の上限としては特に限定されない。上側切断線１６の切断率が上記下限に満たない場合、舌片Ｆを粘着テープＴから剥離すると同時に上側切断線１６を切断する必要があるため、粘着テープＴの剥離が容易でなくなるおそれがある。
【００４２】
下側切断線１７は、粘着テープＴが貼着されないため、上側切断線１６よりも切断率を小さくすることが好ましい。また、下側切断線１７は、意図しない剥離機構部Ｐの開放を防止するために、中央破断線１４の下端部が非切断部（中央破断線１４切り目と下側切断線１７の切り目とが非接続）とされることが好ましい。下側切断線１７の切断率の下限としては、８５％が好ましく、９０％がより好ましい。一方、下側切断線１７の切断率の上限としては、９９％が好ましく、９７％がより好ましい。下側切断線１７の切断率が上記下限に満たない場合、舌片Ｆの折り込みが容易でなくなるおそれがある。逆に、下側切断線１７の切断率が上記上限を超える場合、開函前に意図せず中央破断線１４が破断して剥離機構部Ｐが開口してしまうおそれがある。
【００４３】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４４】
当該段ボール箱用シートにおいて、段ボール箱の底を形成するための構成は、例えばワンタッチ式、アメリカンロック式等、任意の構成とすることができる。
【００４５】
当該段ボール箱用シートにおいて、蓋内フラップに替えて、例えばフランジ、収容物品支持体又は緩衝体形成部、仕切体形成部等の構成を備えてもよい。
【００４６】
当該段ボール箱用シートは、短片側面パネルの上縁から延設されるフラップを突き合わせ状態で封止する外フラップとし、長辺側面パネルに剥離機構部を形成したものであってもよい。
【００４７】
当該段ボール箱用シートは、突き合わされるフラップが延出する側面パネル以外の一対の側面パネルのいずれか一方にのみ剥離機構部が形成されたものであってもよい。
【産業上の利用可能性】
【００４８】
当該段ボール箱用シートは、多様な製品の輸送用段ボール箱として広く利用することができる。
【符号の説明】
【００４９】
１，３  長辺側面パネル
２，４  短辺側面パネル
５  継ぎしろ
６，７  蓋外フラップ
８，９  蓋内フラップ
１０，１１  底外フラップ
１２，１３  底内フラップ
１４  中央破断線
１５  基端折り曲げ線
１６  上側切断線
１７  下側切断線
Ｆ  舌片
Ｐ  剥離機構部
Ｔ  粘着テープ
【図１】
0003208918.tif 000003
【図２】
0003208918.tif 000004
【図３】
0003208918.tif 000005
【図４】
0003208918.tif 000006
【図５】
0003208918.tif 000007